(57)【特許請求の範囲】
【請求項１】
紙葉類を紙葉類受入れ部に受け入れ、受入れられた紙葉類をその最下層のものから摩擦搬送作用により順次１枚ずつ繰り出す繰り出し手段と、この繰り出し手段による繰り出し時に紙葉類の連れ出しを阻止するための連れ出し阻止手段とを具有する紙葉類繰り出し装置において、
前記受入れ部に受入れられた紙葉類を下方から支え該紙葉類の最下層のものが前記繰り出し手段に対し接触しない状態に保持する第１の態様と接触を許す第２の態様とを採り得るよう設けられたガイド部材を備え、前記紙葉類を前記受入れ部に受入れる際には前記ガイド部材が前記第１の態様をなし、前記紙葉類の受入れが終了して前記繰り出し手段による繰り出し動作開始の際には前記第２の態様をなすものであって、前記紙葉類連れ出し阻止手段による非阻止時に前記ガイド部材を前記第１の態様に保持し、前記連れ出し阻止手段による阻止時に前記ガイド部材の前記第１の態様の保持を解除して前記第２の態様に至らしめるようにすると共に、
前記ガイド部材は、前記連れ出し阻止手段による非阻止方向動作により前記第１の態様に保持し、前記連れ出し阻止手段による阻止方向動作により前記第１の態様の保持を解除して前記第２の態様に至らしめるよう連動されていることを特徴とする紙葉類繰り出し装置。
【請求項２】
前記繰り出し手段はローラおよび／またはベルトで構成され、前記連れ出し阻止手段は逆転ローラで構成されている請求項１記載の紙葉類繰り出し装置。
【発明の詳細な説明】
【０００１】
【発明の属する技術分野】
本発明は、複数枚の紙葉類を積層状態で受入れ、その紙葉類を順次１枚ずつ繰り出すための紙葉類繰り出し装置に関する。
【０００２】
【従来の技術】
紙幣や商品券等の紙葉類を複数枚一括して受入れ、受入れ後順次１枚ずつ繰り出して搬送し、爾後識別等の処理を行う紙葉類繰り出し装置が実用に供されている。
【０００３】
このような装置においては、紙葉類をスリップすることなく安定して搬送させるために紙葉類に対し高摩擦係数を有するゴム等の材質の素材を用いた繰り出し手段が採用されている。そしてこれらの繰り出し搬送手段は、ローラ状のもの、平ベルト状のものが一般的である。また紙葉類を一括して受入れる時点では繰り出し搬送手段は通常停止状態におかれる。
【０００４】
【発明が解決しようとする課題】
しかして積層状態の紙葉類を紙葉類受入れ部に一括して装填するとき、最下層の紙葉類が繰り出し搬送手段に接触すると、この繰り出し搬送手段を構成している部材が高摩擦係数を有するが故に最下層の紙葉類の先端がめくれて摺り傷や折れを発生させることが多い。
【０００５】
そのため複数枚の紙葉類を一括して装填する際に最下層の紙葉類が繰り出し搬送手段に接触しないようにすることが望ましい。また一括して装填された紙葉類と繰り出し搬送手段との間における摩擦力を効率的に得るために最上位の紙葉類の上面に押圧力を加えることが望ましい。
【０００６】
このようなことから紙葉類の受入れ過程において最下層の紙葉類が繰り出し搬送手段に接触しないようにし、繰り出し動作開始時には最下層の紙葉類が繰り出し搬送手段に十分な摩擦力を受け得る状態で接触するようにすることが求められる。
【０００７】
そこで出願人は、上記の点を実現するために図１０に示す構成の繰り出し装置を開発し、実用化を図った。
【０００８】
すなわち図１０において、受入れた紙葉類Ｐの最下層のものがフィードベルトａに接触しないようにする弾性を有する樹脂製のガイド片ｂを設け、このガイド片ｂの上部にガイド片ｂを下方へ押圧する押圧部材ｃを設けるようにし、紙葉類Ｐの装填時には前記押圧部材ｃを上方へ反転させて待機させ、繰り出し動作の開始時に図示しない駆動源により下方へ回動してガイド片ｂ上の紙葉類Ｐを押圧するようにしたものである。
【０００９】
図１０（Ａ）は一括で受入れる紙葉類Ｐの分量が少なくて正常に機能している状態を示しており、この場合には紙葉類Ｐの分量は２０枚程度である。このような条件下においては前記の構成による繰り出し装置であっても十分に機能を果たすことができた。
【００１０】
図１０（Ｂ）は一括で受入れる紙葉類Ｐの分量が２００枚程度と多い場合を示している。このように紙葉類Ｐの枚数が多いと、紙葉類Ｐの重量によりガイド片ｂの弾性が失われてしまい、最下位の紙葉類がフィードベルトａに接触する状態となり、これにより紙葉類に摺り傷や折れの発生が懸念され、正常な繰り出し搬送がなされなくなる。
【００１１】
上記のような問題が生じないようにするための改善策として、ガイド片ｂを紙葉類２００枚程度の分量に相応した弾性を有するものに変更することも考えられるが、このようにすると押圧部材ｃによる押圧力をそれに応じて強くする必要が生じ、その結果繰り出し搬送手段の摩耗が激しくなるという新たな問題点が発生する。
【００１２】
本発明は、上記構成によるもののように力量バランスに依存せず、しかも装填する紙葉類の分量の如何に拘わらず繰り出し時以外は紙葉類と繰り出し手段とが接触しないようにして紙葉類の摺り傷や折れを生じさせることを皆無とし、併せて過大な押圧力の付加による繰り出し手段の摩耗が生じないようにした紙葉類繰り出し装置を提供することを課題としてなされたものである。
【００１３】
【課題を解決するための手段】
上記課題を解決する手段として本発明は、紙葉類を紙葉類受入れ部に受け入れ、受入れられた紙葉類をその最下層のものから摩擦搬送作用により順次１枚ずつ繰り出す繰り出し手段と、この繰り出し手段による繰り出し時に紙葉類の連れ出しを阻止するための連れ出し阻止手段とを具有する紙葉類繰り出し装置において、前記受入れ部に受入れられた紙葉類を下方から支え該紙葉類の最下層のものが前記繰り出し手段に対し接触しない状態に保持する第１の態様と接触を許す第２の態様とを採り得るよう設けられたガイド部材を備え、前記紙葉類を前記受入れ部に受入れる際には前記ガイド部材が前記第１の態様をなし、前記紙葉類の受入れが終了して前記繰り出し手段による繰り出し動作開始の際には前記第２の態様をなすものであって、前記紙葉類連れ出し阻止手段による非阻止時に前記ガイド部材を前記第１の態様に保持し、前記連れ出し阻止手段による阻止時に前記ガイド部材の前記第１の態様の保持を解除して前記第２の態様に至らしめるようにしたことを特徴とする。
【００１４】
こうしたことにより、紙葉類の一括装填時にはガイド部材が第１の態様に保持されているのでその上に装填される紙葉類の最下層のものが装填紙葉類の分量の大小に拘わらず繰り出し手段に接触することがなく、これにより紙葉類の受入れ時に最下層の紙葉類に摺り傷や折れ等を生じることがない。
【００１５】
紙葉類の繰り出し時にはガイド部材が第２の態様におかれるので紙葉類の最下層のものがスムーズに繰り出し手段に接触し、繰り出し態勢におけれて１枚ずつの摩擦繰り出しが確実になされる。
【００１６】
また本発明は、前記ガイド部材を、前記連れ出し阻止手段による非阻止方向動作により前記第１の態様に保持し、前記連れ出し阻止手段による阻止方向動作により前記第１の態様の保持を解除して前記第２の態様に至らしめるよう連動させるようにしたことを特徴とし、ガイド部材専用の駆動機構を設けることなく実施することができる。
【００１７】
前記繰り出し手段としては、ローラによるもの、ベルトによるもの、あるいは両者の組み合わせによるものを含む。また連れ出し阻止手段は逆転ローラによるものとすることが好ましい。
【００１８】
【発明の実施の形態】
以下、本発明を図面に示す実施の形態を参照して説明する。
図１は本発明を適用する紙葉類処理機の外観例を示すもので、機体１の前面側上部に商品券等の紙葉類を複数枚積層した状態で一括して挿入する紙葉類受入れ部２が設けられ、機体１内には繰り込まれた紙葉類の一時保留部３、収納部４、紙葉類の搬送系等が配設される。図１において５は紙葉類投出口、６は操作部、７は表示部を示す。
【００１９】
図２〜図４は本発明による紙葉類繰り出し装置の一実施形態を示すもので、図２は紙葉類受入れ待ちの待機状態の内部機構の側面図を、図３は同平面図を示し、図４は紙葉類繰り出し時の側面図を示しており、いずれも紙葉類の図示は省略してある。
【００２０】
前記紙葉類受入れ部２の左右の機枠８，８間の手前側および奥側に軸支されたプーリー軸９，１０上のプーリー１１，１２間に繰り出し手段１３を構成する左右一対のフィードベルト１４，１４が無端回動自在に巻装されている。このフィードベルト１４は、回転時のスリップをなくすことと、紙葉類との摩擦力を確保するうえで両面とも凹凸が設けられたタイミングベルト構造とされている。
【００２１】
前記フィードベルト１４の奥側のプーリー１２の直前位置の上部には連れ出し阻止手段１５としての逆転ローラ１６が前記機枠８，８間に支持された軸１７上に設けられ、この逆転ローラ１６は紙葉類の繰り出し時に図２、図４において可逆モータＭにより正逆回動される。
【００２２】
前記手前側のプーリー１１と前記逆転ローラ１６との間の位置でフィードベルト１４の上部走行側の下面に接して該ベルト１４を押し上げるように中間プーリー１８が回転自由に設けられ、この中間プーリー１８と前記逆転ローラ１６との間、および逆転ローラ１６と奥側のプーリー１２との間のフィードベルト１４の上面は機枠８，８間に張設されたガイド板１９の上面より上部に位置して紙葉類の下面に接することができるようになされている。
【００２３】
前記手前側のプーリー１１よりさらに手前側において前記機枠８，８間に軸支される軸２０に板状の部片からなるガイド部材２１の基部が固着されている。
【００２４】
このガイド部材２１の先端は前記逆転ローラ１６の近くまで延びていて前記軸２０を中心に上下方向揺動可能とされ、その先端部には図３にみられるように前記フィードベルト１４，１４と交差してそれより下位に位置することができるよう該ベルト１４，１４の幅よりも若干広い開口幅を有する切欠２２，２２が形成されている。
【００２５】
前記逆転ローラ１６の軸１７の機枠８外に突出する端部と、前記ガイド部材２１の軸２０よりやや奥側の位置の機枠８，８間に支持された軸２３の機枠８外に突出する端部とにそれぞれ丸ベルト用プーリー２４，２５が設けられ、これらプーリー２４，２５間に丸ベルト２６が巻装されている。
【００２６】
上記軸２３側のプーリー２５は、軸２３との間にワンウェイクラッチ２７が介装されており、軸２３に対し図において反時計方向回転時にはプーリー２５と軸２３とが一体回転し、時計方向回転時にはフリーとなるように構成されている。
【００２７】
前記軸２３の幅方向中間位置には前記ガイド部材２１を上下揺動させる押し上げ部材２８が設けられている。この押し上げ部材２８は、前記軸２３にスポット溶接等により固着された支持部材２９と、この支持部材２９の先端に軸支されたローラ３０とで構成され、このローラ３０の周面が前記ガイド部材２１の下面に側面視において逆Ｌ字状をなす２つの当接面３１，３２に当接自在とされており、前記支持部材２９が上方に回動して立ち上がったとき前記ローラ３０が当接面３１に当たって押し上げ、支持部材２９が倒伏回動したときガイド部材２１が自重で追従下降揺動し、その先端が前記ガイド板１９に当たって下降限が定められる。なお３３は前記支持部材２９の下方回動時のストッパである。
【００２８】
したがって前記逆転ローラ１６の正転時（図において反時計方向回転時）には丸ベルト２６を介して軸２３が同方向に回動し、押し上げ部材２８の支持部材２９が起立方向に回動してそのローラ３０によりガイド部材２１が押し上げられ、前記フィードベルト１４の上面により上位に位置する第１の態様をとる。
【００２９】
前記逆転ローラ１６が逆転すると、前記押し上げ部材２８が倒伏回動し、それに追従してガイド部材２１が下降揺動して停止したときガイド部材２１の先端側所要長さ範囲がフィードベルト１４の下面より下位に位置する第２の態様をとる。図５〜図９はその動作状態の過程を示しており、さらに詳しくは作用の項で説明する。
【００３０】
図２、図４において符号３４は紙葉類受入れ部２にセットされた紙葉類の上面を押さえる押さえ部材、３５はガイド部材２１上にセットされる紙葉類の先端を規制し、繰り出される紙葉類より上位の紙葉類の進出を阻止する規制部材を示す。
【００３１】
次に上記実施形態の作用を説明する。
図２は紙葉類がセットされる前の待機状態を示しており、この状態時には押し上げ部材２８によりガイド部材２１は押し上げられていてその先端に至るまでフィードベルト１４の上面より上位に位置する第１の態様をなしている。
【００３２】
この状態において所要枚数積層された紙葉類をガイド部材２１上にセットし、その先端を規制部材３５に当接させる。またセットされた紙葉類の上面には押さえ部材３４により押さえる。
【００３３】
こうして紙葉類をセットしたのち繰り出し動作をスタートさせると、フィードベルト１４が図４の矢印方向に回動する一方、逆転ローラ１６は時計方向に回動し、この逆転ローラ１６の回動が丸ベルト２６を介して軸２３に伝達される（図５示）。
【００３４】
このときプーリー２５は軸２３に対し図において時計方向回転時にはワンウェイクラッチ２７により空転するようになってはいるが、若干の摩擦力が存在するため軸２３はプーリー２５に連れ回って図において時計方向に回転し、軸２３上の押し上げ部材２８も同方向に回動するのでそのローラ３０はガイド部材２１の当接面３１から次第に外れて行き、その支持部材２９がストッパ３３に当たって停止する（図６示）。
【００３５】
一方、ガイド部材２１は前記ローラ３０の移動に連れて軸２０を支点に先端が下降する方向に揺動し、その先端がガイド板１９に当たって停止し、図４に示す第２の態様をとる。
【００３６】
これによりガイド部材２１の先端の切欠２２，２２からフィードベルト１４，１４の中間プーリー１８から逆転ローラ１６に至る領域の上面が上方に突出し、ガイド部材２１上にセットされた紙葉類の最下層の下面がフィードベルト１４，１４の上面に接触し、フィードベルト１４，１４との摩擦により繰り出され、図において時計方向に回動する逆転ローラ１６により２枚目以降の紙葉類の連れ出しが阻止されて１枚ずつ送出される。
【００３７】
こうしてすべての紙葉類の繰り出しが終了すると、逆転ローラ１６は図において反時計方向に回動し（図７示）、丸ベルト２６を介してプーリー２５も同方向に回転するのでこのプーリー２５に対しワンウェイクラッチ２７により一体化される軸２３が反時計方向に回動し、この軸２３上の押し上げ部材２８の支持部材２９が起立方向に回動してその先端のローラ３０がガイド部材２１の下面の当接面３１に当たり（図８示）、さらに回動することによりローラ３０が垂直な当接面３２に当たって回動を停止する（図９示）。
【００３８】
この時点ではガイド部材２１の先端はフィードベルト１４，１４の前記領域より上方に位置し、図２に示す第１の態様をとる。
【００３９】
このように図示の実施形態においては、連れ出し阻止手段としての逆転ローラ１６の正転，逆転動作を利用してガイド部材２１の第１の態様と第２の態様との切り替えをなさしめるようにしているので、ガイド部材２１の態様を切り替えるための駆動機構を特に設ける必要がなく、構成を簡素化するうえで好ましいが、スペース等の関係でガイド部材２１の切り替え機構を別に設けるようにしてもよい。
【００４０】
また繰り出し手段１３はフィードベルト１４によるものにつき示したが、ローラ構成あるいはローラとベルトとの組み合わせ構造とすることは任意である。
【００４１】
【発明の効果】
以上説明したように本発明によれば、紙葉類の一括装填時にはガイド部材が力量バランスによることなく第１の態様に保持されているので、その上に装填される紙葉類を安定して受入れることができるとともに最下層の紙葉類が装填紙葉類の分量の大小に拘わらず繰り出し手段に接触することがなく、これにより紙葉類の受入れ時に最下層の紙葉類に摺り傷や折れ等を生じることを防ぐことができる。
【００４２】
また紙葉類の繰り出し時にはガイド部材が第２の態様におかれるので紙葉類の最下層のものがスムーズに繰り出し手段に接触し、繰り出し態勢におかれて１枚ずつの摩擦繰り出しを確実に行わせることができる。
【００４３】
また、前記ガイド部材を前記連れ出し阻止手段による非阻止方向動作により前記第１の態様に保持し、前記連れ出し阻止手段による阻止方向動作により前記第１の態様の保持を解除して前記第２の態様に至らしめるよう連動させるようにしたので、ガイド部材専用の駆動機構を設けることなく実施することができる。
【図面の簡単な説明】
【図１】本発明を適用する紙葉類処理機の一例を示す外観斜視図。
【図２】本発明による紙葉類繰り出し装置の一実施形態を示し、紙葉類のセット前の状態を示す内部構成の側面図。
【図３】同、平面図。
【図４】同、紙葉類繰り出し時の状態を示す内部機構の側面図。
【図５】本発明におけるガイド部材の第１の態様時の連動機構の動作状況を示す側面図。
【図６】同、第１の態様から第２の態様に移行した状況を示す側面図。
【図７】同、第２の態様から第１の態様へ戻る過程を示す側面図。
【図８】同、第１の態様へ戻る直前の状況を示す側面図。
【図９】同、第１の態様に復帰した状況を示す側面図。
【図１０】（Ａ），（Ｂ）は本発明に至る過程における先行技術を示す側面図。
【符号の説明】
１  機体
２  紙葉類受入れ部
１３  繰り出し手段
１４  繰り出し手段を構成するフィードベルト
１５  連れ出し阻止手段
１６  連れ出し阻止手段としての逆転ローラ
２１  ガイド部材
２２  切欠
２７  ワンウェイクラッチ
２８  押し上げ部材
３１，３２  当接面
【図１】
0003886728.tif 000002
【図２】
0003886728.tif 000003
【図３】
0003886728.tif 000004
【図４】
0003886728.tif 000005
【図５】
0003886728.tif 000006
【図６】
0003886728.tif 000007
【図７】
0003886728.tif 000008
【図８】
0003886728.tif 000009
【図９】
0003886728.tif 000010
【図１０】
0003886728.tif 000011